(57)【要約】【課題】魚信を明確に示し、照明の機能を具えた浮きを提供する。【解決手段】固定座と、上蓋と、下蓋と、コントロール回路と、反応棒とを含み、固定座は中空で一端に螺接部と、他端に接続部とを具え、外側がケースで被覆され、ケースは両端に直径の異なる孔を具え、上蓋は円錐状で可透性の材質から形成され、一端が円弧状で封鎖され、他端に開口端が形成され、開口端が防水用のゴムパットを設けてケースの孔に嵌合され、下蓋は中空で、一端が球状で、他端がラッパ状に形成され、ラッパ状の一端には内側にケースの孔が位置決めされ、コントロール回路は固定座の螺接部内に嵌設され、二色ＬＥＤと二個以上の電池が設けられた電池セットとを具えて、魚の状況を光線の信号で表示し、反応棒は桿体部分の外側にバネを設け、固定座の接続部内に穿設し、一端がコントロール回路と電気的に接続し、他端が下蓋を貫通して外側に延伸し、釣り糸を接続するために供される。【選択図】図１
0003139830.tif 000002
【実用新案登録請求の範囲】
【請求項１】
固定座と、上蓋と、下蓋と、コントロール回路と、反応棒とを含んでなり、
該固定座が中空で一端に設けられた螺接部と、他端に該螺接部と異なる直径に形成された接続部とを具えてなり、外側がケースで被覆され、該ケースが両端にそれぞれ異なる直径の孔を具えてなり、
該上蓋が円錐状を呈し、可透性を具えた材質から形成され、一端が円弧状で封鎖され、他端に開口端が形成され、該開口端はケースの孔に嵌合されるとともに、該ケースとの間に防水用のゴムパットを設け、
該下蓋が中空で、且つ一端が球状を呈し、他端がラッパ状に形成され、該ラッパ状の一端には、内側にケースの孔が緊密に嵌合して位置決めされ、
該コントロール回路が固定座の螺接部の内部に嵌設され、二色ＬＥＤ（二色発光ダイオード、以下二色ＬＥＤと称す）と、内部に設けられた二個以上の電池を直列に接続した電池セットとを具えてなり、該二色ＬＥＤは、魚がエサをつついているか、否かを光線の信号で表示し、該電池セット及び電池が赤と緑の二色ＬＥＤの電力源として供され、
該反応棒が桿体部分の外側を被覆するようにバネを設け、固定座の接続部の内部に穿設し、一端がコントロール回路と電気的に接触、接続し、他端が下蓋を貫通して外側に延伸し、釣り糸を接続するために供され、
魚などがエサをつつく動作で反応棒がコントロール回路と電気的に接続しなくなることを利用して、光源を切り換えて異なる光線の信号で魚がエサをつついているか、否かを表示し、釣り人が釣り糸を引揚げる時期を知るために便利であるとともに、照明の効果を具えてなる構造からなることを特徴とする、浮き。
【請求項２】
前記ケースが木製であることを特徴とする、浮き。
【請求項３】
前記二色ＬＥＤが赤と緑の対比した色の光線を照射することを特徴とする、浮き。
【考案の詳細な説明】
【技術分野】
【０００１】
この考案は、浮きに関し、特に釣り竿に設けて海に浮かべ、釣り人に釣り針の動きを伝える浮きに関する。
【背景技術】
【０００２】
釣りは我慢強さを養う、最も優れたレジャーである。即ち、釣り人は、魚が釣り針のエサをつつくまで静かに忍耐強く待たなければならない。
【０００３】
しかしながら、待っている過程は味気ないが、魚が釣り針にかかった瞬間、その喜びを釣り人自身が実感する。このため、多くの人は魚を釣り上げた時の刺激を感じることが好きで釣りをする。
【０００４】
釣り竿に設ける浮き及び蛍光棒は、釣りを行う場合の必需品である。該浮き及び蛍光棒は、釣堀での釣り、海釣り、或いは渓流釣りであるかに関係なく必ず使用され、釣り人に魚の状況を知らせるとともに、照明としての機能も有する。よって、釣り場に適した様々なサイズ、或いは釣る魚に合わせた浮きや蛍光棒を使い分ける必要がある。
【０００５】
通常、夜間に海釣りを行う場合、釣り人は上述した二つのそれぞれ独立した機能を有する浮き、及び蛍光棒をいっしょに使用して、魚信の状況を伝える浮きがはっきりと見えるようにする。
【０００６】
しかしながら、浮きは底部が円形に形成され、波に沿って漂い、岸の方向に戻ってくるように設計されているため、位置決め機能を具えていない。
【０００７】
また、該浮き及び蛍光棒は、魚が釣り針のえさをつついた時に釣り場から比較的離れた場所か、或いは視力の弱い人でも確認できるようにするため、照明用の蛍光棒を使用し続けて電気がなくなるか、使用中に誤って落とすなどすると、魚信の状況を伝える浮きを明確に確認できないか、或いは識別するための照明がなくなる。
【０００８】
よって、魚を釣り上げるタイミングや、魚がエサをつついているのかどうかの魚信を識別できず、釣り上げる機会を失ってしまうため、別に照明用の蛍光棒を設けなければならない。
【０００９】
しかしながら、該照明用の蛍光棒は、使い終わると再利用できないため、環境保護の問題があった。
【考案の開示】
【考案が解決しようとする課題】
【００１０】
この考案は、魚信を明確に示し、照明の作用を具えるとともに、糸が絡まりにくく、波に流れにくい位置決め機能を具えた浮きを提供することを課題とする。
【課題を解決するための手段】
【００１１】
そこで、本考案の考案者は従来の技術に見られる欠点に鑑みて鋭意研究を重ねた結果、固定座と、上蓋と、下蓋と、コントロール回路と、反応棒とを含んでなり、
該固定座が中空で一端に設けられた螺接部と、他端に該螺接部と異なる直径に形成された接続部とを具えてなり、外側がケースで被覆され、該ケースが両端にそれぞれ、異なる直径の孔を具えてなり、
該上蓋が円錐状を呈し、可透性を具えた材質から形成され、一端が円弧状で封鎖され、他端に開口端が形成され、該開口端は、ケースの孔に嵌合されるとともに、該ケースとの間に防水用のゴムパットを設け、
該下蓋が中空で、且つ一端が球状を呈し、他端がラッパ状に形成され、該ラッパ状の一端には、内側にケースの孔が緊密に嵌合して位置決めされ、
該コントロール回路が固定座の螺接部の内部に嵌設され、二色ＬＥＤ（二色発光ダイオード、以下二色ＬＥＤと称す）と、内部に設けられた二個以上の電池を直列に接続した電池セットとを具えてなり、該二色ＬＥＤは、魚がエサをつついているか、否かを光線の信号で表示し、該電池セット及び電池が赤と緑の二色ＬＥＤの電力源として供され、
該反応棒が桿体部分の外側を被覆するようにバネを設け、固定座の接続部の内部に穿設し、一端がコントロール回路と電気的に接触、接続し、他端が下蓋を貫通して外側に延伸し、釣り糸を接続するために供され、
魚などがエサをつつく動作で反応棒がコントロール回路と電気的に接続しなくなることを利用して、光源を切り換えて異なる光線の信号で魚がエサをつついているか、否かを表示し、釣り人が釣り糸を引揚げる時期を知るために便利であるとともに、照明の効果を具えてなる構造からなる。
【００１２】
以下、この考案について具体的に説明する。
【００１３】
請求項１に記載する浮きは、固定座と、上蓋と、下蓋と、コントロール回路と、反応棒とを含んでなり、
該固定座が中空で一端に設けられた螺接部と、他端に該螺接部と異なる直径に形成された接続部とを具えてなり、外側がケースで被覆され、該ケースが両端にそれぞれ、異なる直径の孔を具えてなり、
該上蓋が円錐状を呈し、可透性を具えた材質から形成され、一端が円弧状で封鎖され、他端に開口端が形成され、該開口端は、ケースの孔に嵌合されるとともに、該ケースとの間に防水用のゴムパットを設け、
該下蓋が中空で、且つ一端が球状を呈し、他端がラッパ状に形成され、該ラッパ状の一端には、内側にケースの孔が緊密に嵌合して位置決めされ、
該コントロール回路が固定座の螺接部の内部に嵌設され、二色ＬＥＤ（二色発光ダイオード、以下二色ＬＥＤと称す）と、内部に設けられた二個以上の電池を直列に接続した電池セットとを具えてなり、該二色ＬＥＤは、魚がエサをつついているか、否かを光線の信号で表示し、該電池セット及び電池が赤と緑の二色ＬＥＤの電力源として供され、
該反応棒が桿体部分の外側を被覆するようにバネを設け、固定座の接続部の内部に穿設し、一端がコントロール回路と電気的に接触、接続し、他端が下蓋を貫通して外側に延伸し、釣り糸を接続するために供され、
魚などがエサをつつく動作で反応棒がコントロール回路と電気的に接続しなくなることを利用して、光源を切り換えて異なる光線の信号で魚がエサをつついているか、否かを表示し、釣り人が釣り糸を引揚げる時期を知るために便利であるとともに、照明の効果を具えてなる構造からなる。
【００１４】
請求項２に記載する浮きは、請求項１におけるケースが木製である。
【００１５】
請求項３に記載する浮きは、請求項１における二色ＬＥＤが赤と緑の対比した色の光線を照射する。
【考案の効果】
【００１６】
この考案の浮きは、光線の信号で魚信を明確に、離れた場所からでも容易に確認でき、照明としても利用できるという効果を有する。
【考案を実施するための最良の形態】
【００１７】
この考案は、魚信を明確に示し、照明の作用を具えるとともに、糸が絡まりにくく、波に流れにくい位置決め機能を具えた浮きであって、
固定座と、上蓋と、下蓋と、コントロール回路と、反応棒とを含んでなり、
該固定座が中空で一端に設けられた螺接部と、他端に該螺接部と異なる直径に形成された接続部とを具えてなり、外側がケースで被覆され、該ケースが両端にそれぞれ、異なる直径の孔を具えてなり、
該上蓋が円錐状を呈し、可透性を具えた材質から形成され、一端が円弧状で封鎖され、他端に開口端が形成され、該開口端は、ケースの孔に嵌合されるとともに、該ケースとの間に防水用のゴムパットを設け、
該下蓋が中空で、且つ一端が球状を呈し、他端がラッパ状に形成され、該ラッパ状の一端には、内側にケースの孔が緊密に嵌合して位置決めされ、
該コントロール回路が固定座の螺接部の内部に嵌設され、二色ＬＥＤ（二色発光ダイオード、以下二色ＬＥＤと称す）と、内部に設けられた二個以上の電池を直列に接続した電池セットとを具えてなり、該二色ＬＥＤは、魚がエサをつついているか、否かを光線の信号で表示し、該電池セット及び電池が赤と緑の二色ＬＥＤの電力源として供され、
該反応棒が桿体部分の外側を被覆するようにバネを設け、固定座の接続部の内部に穿設し、一端がコントロール回路と電気的に接触、接続し、他端が下蓋を貫通して外側に延伸し、釣り糸を接続するために供され、
魚などがエサをつつく動作で反応棒がコントロール回路と電気的に接続しなくなることを利用して、光源を切り換えて異なる光線の信号で魚がエサをつついているか、否かを表示し、釣り人が釣り糸を引揚げる時期を知るために便利であるとともに、照明の効果を具えてなる構造からなる。
【００１８】
かかる浮きの構造と特徴を詳述するために具体的な実施例を挙げ、図示を参照にして以下に説明する。
【実施例】
【００１９】
図１はこの考案の浮き１を示した説明図である。図面によれば、浮き１は固定座１０と、上蓋２０と、下蓋３０と、コントロール回路４０と、反応棒５０とを含んでなる。
【００２０】
該固定座１０は中空で一端に設けられた螺接部１１と、他端に該螺接部１１と異なる直径に形成された接続部１２とを具えてなり、水に浮いて漂うために便利なように、外側が木製のケース１３で被覆される。該ケース１３は両端にそれぞれ異なる直径を具えた孔１３１、１３２を具えてなる。
【００２１】
該上蓋２０は円錐状を呈し、可透性を具えた材質から形成されるため、光源の光線が外側に照射されて釣り人の識別に便利である。また、該上蓋２０は一端が円弧状で封鎖され、他端に開口端が形成される。該開口端はケース１３の孔１３１に嵌合されるとともに、該ケース１３との間に防水用のゴムパット２１を設けて嵌合するため、ケース１３と緊密に接続して効果的に防水することができる。
【００２２】
該下蓋３０は中空で、且つ一端が球状を呈し、他端がラッパ状に形成される。該ラッパ状の一端には、内側にケース１３の孔１３２が緊密に嵌合して位置決めされる。
【００２３】
該コントロール回路４０は固定座１０の螺接部１１の内部に嵌設され、二色ＬＥＤ（二色発光ダイオード、以下二色ＬＥＤと称す）４１と、内部に設けられた二個以上の電池４３を直列に接続した電池セット４２とを具えてなる。
【００２４】
該二色ＬＥＤは鮮明な色の光線を切り替えて発光するため、魚がエサをつついているか、否かを光線の信号で表示することができるとともに、適宜な照明の機能を具えてなる。また、該電池セット４２及び、内部に設けられた電池４３は、二色ＬＥＤ４１の電力として供する。
【００２５】
反応棒５０は桿体部分の外側を被覆するようにバネ５１を設け、固定座１０の接続部１２の内部に穿設する。該反応棒５０は一端がコントロール回路４０と電気的に接触、接続し、他端が下蓋３０を貫通して外側に延伸し、釣り糸を接続するために供される。
【００２６】
上述の部材を組み合わせる場合、固定座１０をケース１３の内部に穿設し、コントロール回路４０を螺接部１１の内側に嵌合する。次に該反応棒５０を接続部１２に挿入すると、該反応棒５０の一端がコントロール回路４０と電気的に接続する。該ケース１３の両端に形成された孔１３１、１３２には防水のゴムパッド２１が設けられた後、上蓋２０及び下蓋３０が接続される。
【００２７】
前述の構造により、図２、図３に開示するように、両端が円錐状を呈し、使用において魚信を明確に表示し、釣り糸が絡まり難く、波に流され難く、容易に位置決めすることができるなどの利点を具えた浮き１を形成する。
【００２８】
この考案の浮き１は、使用する場合、魚などが針にかかっていない時、二色ＬＥＤ（４１）が常に、単一の緑色の光線を照射するとともに、照明の効果を具えてなる。
【００２９】
一方、魚などが針にかかると、釣り糸が下方向に引っ張られるとともに、反応棒５０も連動して下方向に移動するため、反応棒５０とコントロール回路４０との電気的に接続しない状態になる。この場合、二色ＬＥＤ４１がコントロール回路４０の指示を受けて赤い光線に切り替えて照射して、釣り人に魚がエサをつついていることを知らせる。
【００３０】
よって、光線の信号により魚がエサをつついているかどうかを知ることができるため、釣り糸を引揚げる時期を確認するために便利であるとともに、照明としての効果も具えている。
【００３１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００３２】
【図１】この考案の浮きを示した分解図
【図２】この考案の浮きを示した説明図
【図３】この考案の浮きを示した断面図
【符号の説明】
【００３３】
１          浮き
１０        固定座
１１        螺接部
１２        接続部
１３        ケース
１３１      孔
１３２      孔
２０        上蓋
２１        ゴムパット
３０        下蓋
４０        コントロール回路
４１        二色ＬＥＤ
４２        電池セット
４３        電池
５０        反応棒
５１        バネ
【図１】
0003139830.tif 000003
【図２】
0003139830.tif 000004
【図３】
0003139830.tif 000005
【手続補正書】
【提出日】平成19年12月13日(2007.12.13)
【手続補正１】
【補正対象書類名】実用新案登録請求の範囲
【補正対象項目名】請求項２
【補正方法】変更
【補正の内容】
【請求項２】
前記ケースが木製であることを特徴とする請求項１に記載の、浮き。
【手続補正２】
【補正対象書類名】実用新案登録請求の範囲
【補正対象項目名】請求項３
【補正方法】変更
【補正の内容】
【請求項３】
前記二色ＬＥＤが赤と緑の対比した色の光線を照射することを特徴とする請求項１に記載の、浮き。